(57)【要約】【課題】施工狂い等により発生する規制部材の斜め当りの力を逃して損傷を防止することができる指挟み防止装置及び開口部装置を提供する。【解決手段】障子３ａ，３ｂを閉鎖する際に障子３ａ，３ｂと枠２の間または対向する障子間に介在されて指挟みを防止する規制部材１１と、前記障子３ａ，３ｂの框４に取付けられる本体部１２と、該本体部１２に回動自在に設けられ前記規制部材１１を作動位置イまたは非作動位置ロに回動自在に支持する腕部１３と、該腕部１３を作動位置イ側へ付勢する付勢手段１４とを備え、前記規制部材１１が腕部１３に弾性支持材１７を介して首振り自在に設けられている。【選択図】　　　　　図２
2004124462.tif 000002
【特許請求の範囲】
【請求項１】
障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記規制部材が腕部に首振り自在に設けられていることを特徴とする指挟み防止装置。
【請求項２】
障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられていることを特徴とする指挟み防止装置。
【請求項３】
障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられ、該台座及び本体部は互いにスライド自在に係合し、そのスライド方向略中央部に係止部を有していることを特徴とする指挟み防止装置。
【請求項４】
障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部には前記腕部を非作動位置に保持する保持手段が設けられていることを特徴とする指挟み防止装置。
【請求項５】
枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記規制部材が腕部に首振り自在に設けられていることを特徴とする開口部装置。
【請求項６】
枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられていることを特徴とする開口部装置。
【請求項７】
枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられ、該台座及び本体部は互いにスライド自在に係合し、そのスライド方向略中央部に係止部を有していることを特徴とする開口部装置。
【請求項８】
枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部には前記腕部を非作動位置に保持する保持手段が設けられていることを特徴とする開口部装置。
【発明の詳細な説明】
【０００１】
【発明の属する技術分野】
本発明は、障子を閉鎖する際の指挟みを防止する指挟み防止装置及び開口部装置に関する。
【０００２】
【従来の技術】
障子を閉鎖する際の指挟みを防止するために、例えば特開平８−４４０８号公報に記載されているような指挟み防止装置（指詰め防止装置ともいう）が提案されている。
【０００３】
この指挟み防止装置は、引戸（障子）を閉めた際に、引戸枠（框）と固定窓枠（枠）との間に隙間形成用の規制部材を介在させる引戸用指挟み防止装置において、引戸枠（框）内の窓面（ガラス面）に貼着される基板と、この基板に対し略水平に位置から起立位置側に回動自在に枢支されて、引戸枠（框）を跨ぐように延びると共に、規制部材をその自由端側に突設しているアームと、このアームを基板に対し略水平方向へ付勢している付勢手段とを備え、規制部材が付勢手段で付勢されているアームを介して、引戸（障子）の閉状態で基板に接近する固定窓枠（枠）側に圧接しており、引戸（障子）を開状態に動かす過程で引戸枠（框）と固定窓枠（枠）との間に自動的に移動されるように構成されている。
【０００４】
また、前記規制部材は、アームの自由端側にスライド自在に設けられていると共に、規制部材を自由端側に付勢する付勢手段が設けられており、衝撃緩和作用が得られるようになっている。
【０００５】
【特許文献１】
特開平８−４４０８号公報
【０００６】
【発明が解決しようとする課題】
しかしながら、前記指挟み防止装置においては、例えば基板を窓面に貼着する際に斜めに貼着してしまう場合があり、このような施工狂い等が生じた場合、規制部材が斜め当りの力を受け、この斜め当りの力は規制部材のスライドと付勢手段では吸収することができないことから、アームや基板等が損傷する恐れがあった。
【０００７】
また、障子を開けてテラスやベランダ等の室外に出てから障子を閉め切る場合、室外側から規制部材を付勢力に抗して室内側に押し込みながら障子を閉めなければならず、その操作が大変であった。なお、指挟み防止装置を外障子に取付けている場合、例えば外障子を全開にしようとする際に指挟み防止装置が内障子の召し合せ框に当って障子の全開（障子のやり越し）ができず、このため、網戸のかかりが不十分になったり、クレセント受けの調整が困難になる問題もあった。
【０００８】
本発明は、前記事情を考慮してなされたもので、施工狂い等により発生する規制部材の斜め当りの力を逃して損傷を防止することができる指挟み防止装置及び開口部装置を提供することを目的とする。また、本発明の目的は、室外から障子を閉め切る等の本体部不要時に本体部を簡単に取外すことができる指挟み防止装置及び開口部装置を提供することにある。
【０００９】
【課題を解決するための手段】
本発明のうち、請求項１の発明は、障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記規制部材が腕部に首振り自在に設けられていることを特徴とする。
【００１０】
請求項２の発明は、障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられていることを特徴とする。
【００１１】
請求項３の発明は、障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられ、該台座及び本体部は互いにスライド自在に係合し、そのスライド方向略中央部に係止部を有していることを特徴とする。
【００１２】
請求項４の発明は、障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部には前記腕部を非作動位置に保持する保持手段が設けられていることを特徴とする。
【００１３】
請求項５の発明は、枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記規制部材が腕部に首振り自在に設けられていることを特徴とする。
【００１４】
請求項６の発明は、枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられていることを特徴とする。
【００１５】
請求項７の発明は、枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられ、該台座及び本体部は互いにスライド自在に係合し、そのスライド方向略中央部に係止部を有していることを特徴とする。
【００１６】
請求項８の発明は、枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部には前記腕部を非作動位置に保持する保持手段が設けられていることを特徴とする。
【００１７】
【発明の実施の形態】
以下に、本発明の実施の形態を添付図面に基いて詳述する。図１は本発明の実施の形態を示す開口部装置の室内側正面図、図２は図１のＡ−Ａ線拡大断面図、図３は指挟み防止装置の腕部と規制部の分解斜視図、図４は指挟み防止装置の本体部を台座部から取外した状態の開口部装置を示す図で、（ａ）は障子全閉状態の概略的横断面図、（ｂ）は外障子を全開にした状態の概略的横断面図である。
【００１８】
図１において、１は開口部装置として例示した引違い式テラス用サッシで、建物の開口に設けられる枠２と、この枠２内にスライド開閉自在に設けられた障子３ａ，３ｂとを備えている。この図示例のサッシ１は、内外２枚の障子３ａ，３ｂを有する障子２枚建てのサッシとして構成されている。枠２は、例えばアルミ押出形材からなる上枠２ａ、下枠２ｂ及び左右の縦枠２ｃ，２ｄからなっている。障子３ａ，３ｂは、例えばアルミ押出形材からなる上框４ａ、下框４ｂ及び左右の縦框４ｃ，４ｄからなる框４内にガラスパネル５を装着してなる。内障子３ａの召し合せ框４ｃには障子を閉鎖状態に施錠するためのクレセント錠６が設けられ、外障子３ｂの召し合せ框４ｃにはクレセント錠６と対応する位置にクレセント受け７が設けられている。
【００１９】
前記サッシ１には、障子３ａ，３ｂを閉鎖する際に障子３ａ，３ｂと枠２の間具体的には戸先框４ｄと縦枠２ｃ，２ｄの間に規制部材１１を介在させて指挟みを防止する指挟み防止装置１０が左右に２つ設けられている。左右の指挟み防止装置１０は、構成が同じであるため一方の指挟み防止装置についてその詳細を説明する。この指挟み防止装置１０は、図２にも示すように、前記規制部材１１と、前記障子３ａ，３ｂの框４具体的には戸先框４ｄに取付けられる本体部１２と、この本体部１２に回動自在に設けられ前記規制部材１１を作動位置（図２に実線で示すように障子と枠の間に規制部材を挿入介在させる位置）イまたは非作動位置（図２に仮想線で示すように障子と枠の間から規制部材を室内側に離反させる位置）ロに回動自在に支持する腕部１３と、この腕部１３を作動位置側へ付勢する付勢手段例えばコイルバネ１４とを備えている。
【００２０】
前記本体部１２には上下一対の断面半円状の支持部１５が突設され、両支持部１５間に上下に掛け渡されたピン（軸）１６を介して前記腕部１３の基端部が水平回動自在に支持されている。また、前記ピン１６の回りには、腕部１３を作動位置イ側、図２の時計回り方向に付勢するようにコイルバネ１４が取付けられている。前記規制部材１１は、縦枠２ｃ，２ｄと戸先框４ｄの間に指よりも少し大きい隙間を確保するためのブロック状に形成されている。この規制部材１１は、内部が硬質樹脂で形成され、外部が軟質樹脂ないし弾性を有する部材で形成されていることが好ましい。
【００２１】
そして、本体部１２を戸先框４ｄの室内面に斜めに取付けてしまった場合のように施工狂い等により発生する規制部材１１の斜め当りの力を逃すために、規制部材１１は腕部１３に首振り自在に設けられている。本実施例では、腕部１３に規制部材１１が弾性支持材であるコイルバネ１７を介して首振り可能に取付けられている。図示例では、図３に示すように、腕部１３が基部側腕部１３ａと、先端側腕部１３ｂとに分割され、基部側腕部１３ａが本体部１２に取付けられ、先端側腕部１３ｂが規制部材１１に取付けられている。
【００２２】
基部側腕部１３ａは断面角Ｃ形状に形成され、先端側腕部１３ｂは基部側腕部１３ａ内に余裕を持って挿入され得るよう基部側腕部１３ａよりも細く形成されている。基部側腕部１３ａ内には固定板１８を介してコイルバネ１７の一端が固定され、先端側腕部１３ｂ内には前記コイルバネ１７の他端を固定するための固定板１９が設けられ、これにより規制部材１１が首振り自在に支持されている。
【００２３】
一方、室外から障子３ａ，３ｂを閉め切る等の本体部１２不要時に本体部１２を障子３ａ，３ｂから簡単に取外すことができるようにするために、前記本体部１２が前記框４に設けられた台座２０に着脱自在に取付けられている。台座２０は戸先框４ｄの室内面に取付材である例えば両面接着テープ（図示省略）を介して貼着固定されている。従来の指挟み防止装置においては、基板が窓面であるガラス面に両面接着テープで貼着されており、ガラス面が吸湿性を有することにより経年変化により基板が剥がれる恐れがあったが、本実施の形態では、表面が塗装されて吸湿性の少ない框４の戸先框４ｄに台座２０を貼着するため、経年変化により台座２０が剥がれる恐れがなく、耐久性の向上が図れる。
【００２４】
台座２０及び本体部１２は、図５ないし図６に示すように、互いに上下方向にスライド自在に係合するようになっており、そのスライド方向略中央部に係止部２１，２２を有している。図示例では、一方例えば台座２０の前面部には断面角Ｃ形状の係合溝（係合受部）２３が上下方向に形成され、他方例えば本体部１２の裏面部には前記係合溝２３に上下方向にスライド自在に係合する断面Ｔ形状の係合部２４が形成されている。前記係合溝２３の底面にはスライド方向（上下方向）の略中間部（略中央部）に係止部２１が突設されている。一方、本体部１２の裏面部には前記係止部２１との干渉を回避するための溝２５が上下方向に形成されており、この溝２５の上下方向略中間部には前記係止部２１に係止される係止部（被係止部）２２が溝２５を塞ぐように設けられている。
【００２５】
これにより、左右の障子３ａ，３ｂ、すなわち図５の（ａ）に示す外障子３ｂの戸先框４ｄと、同図の（ｂ）に示す内障子３ａの戸先框４ｄとに対し、同形状の台座２０を上下逆にすることで兼用することができ、コストの低減が図れる。また、係止部２１，２２を台座２０及び本体部１２の中央部にそれぞれ配置しているので、例えば台座の中央部に係止部を配置してその係止部に本体部の上端または下端を係止させるようにしたものに比して、台座２０の上下方向の大きさを小さくすることができ、見栄えないし意匠性の向上が図れる。なお、前記戸先框４ｄの室内面には手掛け用の溝２７が上下方向に設けられ、台座２０は前記溝２７の底面に裏面部を当接させて貼着されるようになっていると共に、台座２０の一側部には溝２７の一側縁部に係合する段部２８が形成されている。
【００２６】
また、本体部１２を台座２０上の係止位置に確実に保持するために、台座２０の略中央部（係止部２１の隣）には弾性により没入可能な突起部３０が突設され、本体部１２の裏面部には前記突起部３０と対応する位置に突起部３０と係合する凹部３１が設けられていることが好ましい。突起部３０と凹部３１が係合した時に「カチッ」と係合音を発して確実に係合したことを確認することができる。突起部３０と凹部３１の係合により台座２０に本体部１２を確実に保持させることができ、また、本体部１２を上方にスライド移動させて突起部３０と凹部３１の係合を解除することにより台座２０から本体部１２を取外すことができる。
【００２７】
このように台座２０に本体部１２を着脱自在に取付けたので、障子３ａ，３ｂを開けて室内からテラスやベランダ等の室外に出てから隙間風を防ぐべく障子３ａ，３ｂを閉め切る等の本体部１２不要時には、図４の（ａ）に示すように、本体部１２を台座２０から簡単に取外すことができ、これにより、障子３ａ，３ｂの締め切り（全閉）操作の邪魔になる邪魔物（本体部の規制部材）が無くなるため、障子３ａ，３ｂを容易に閉め切ることができ、操作性の向上及び邪魔物が無くなることによる意匠性の向上が図れる。
【００２８】
また、前記台座２０は、その突出高さ（戸先框の室内面からの突出量）が低いｈことが好ましい。すなわち、外障子３ｂ側の台座２０は、その突出高さｈが高いと、外障子３ｂを全開にする際に内障子３ａの召し合せ框４ｃと干渉して外障子３ｂの全開が困難になり、左右の障子３ａ，３ｂを相互に反対側へ移動すること（障子のやり越し）もできなくなる。台座２０の突出高さｈを内外の障子３ａ，３ｂ間の隙間ｄよりも小さくすることにより、図４の（ｂ）に示すように外障子３ｂの全開が可能になると共に、障子３ａ，３ｂのやり越しが可能になる。外障子３ｂの全開が可能になると、枠２の室外側にスライド自在に設けた網戸３２のかかりを確保することができ、網戸３２の防虫部材（例えばヒレまたはモヘア）３３が外障子３ｂの召し合せ框４ｃの室外面にかかり（接触し）、防虫機能を発揮することができる。また、障子３ａ，３ｂのやり越しが可能になると、内障子３ａに隠れているクレセント受け７を室内側に露出させることが可能になるため、クレセント受け７の調整が可能になる。
【００２９】
このように指挟み防止装置１０ないし開口部装置１によれば、前記規制部材１１が腕部１３に弾性支持材例えばコイルバネ１７を介して首振り自在に設けられているため、施工狂い等により発生する規制部材１１の斜め当りの力を逃して腕部１３や本体部１２の損傷を防止することができ、耐久性の向上が図れる。また、前記本体部１２が前記框４に設けられた台座２０に着脱自在に取付けられているため、室外から障子３ａ，３ｂを閉め切る等の本体部１２不要時に本体部１２を簡単に取外すことができ、操作性の向上が図れると共に、台座２０の突出高さｈを低くすれば、障子３ａ，３ｂの全開及びやり越しが可能となり、網戸３２のかかりの確保やクレセント受け７の調整が可能となる。更に、前記本体部１２が前記框４に設けられた台座２０に着脱自在に取付けられ、該台座２０及び本体部１２は互いにスライド自在に係合し、そのスライド方向略中央部に係止部２１，２２を有しているため、台座２０を上下逆にすることで左側用と右側用に兼用することできると共に、台座２０を小さくすることができ、コストの低減及び意匠性の向上が図れる。
【００３０】
図７は指挟み防止装置の他の実施の形態を示す断面図、図８は同指挟み防止装置の腕部と規制部の分解斜視図である。本実施の形態において、前記実施の形態と同一部分は同一参照符号を付して説明を省略し、異なる部分について説明を加える。本実施の形態では、腕部１３に規制部材１１を首振り自在に取付ける構造の他の例を示しており、腕部１３の先端部には断面角Ｃ形状の係合溝３５が腕部１３の長手方向に平行に設けられ、規制部材１１には前記係合溝３５にスライド自在に且つ首振り自在に余裕をもって係合する断面略Ｔ形状の係合部３６が設けられている。
【００３１】
特に、前記係合溝３５内の両側面部には、係合部３６を首振り可能に弾性支持する弾力性を有する凸状の複数の弾性支持材３７が設けられ、これらの弾性支持材３７が潰れることにより規制部材１１の首振りを許容するようになっている。このように構成された指挟み防止装置１０ないし開口部装置１によれば、施工狂い等により発生する規制部材１１の斜め当りの力を逃して腕部１３や本体部１２の損傷を防止することができ、耐久性の向上が図れる。
【００３２】
図９は指挟み防止装置の他の実施の形態を示す断面図である。本実施の形態において、前記実施の形態と同一部分は同一参照符号を付して説明を省略し、異なる部分について説明を加える。本実施の形態では、本体部１２に、腕部１３を非作動位置ロに保持する保持手段４０が設けられている。この保持手段４０は、一方例えば腕部１３の基端部に設けられた係合突部４０ａと、他方例えば本体部１２に設けれ前記係合突部４０ａが係合する係合凹部４０ｂとから構成されている。係合突部４０ａは曲面状に形成され、係合凹部４０ｂは係合突部４０ａに対応する形状に形成されている。
【００３３】
これにより、室外から障子３ａ，３ｂを閉め切る等の本体部１２不要時に、腕部１３を付勢手段であるコイルバネ１４の付勢力に抗してピン１６の軸回りに非作動位置ロに回動させると、係合突部４０ａが係合凹部４０ｂに係合して腕部１３が非作動位置に保持されるようになっている。このように構成された指挟み防止装置１０ないし開口部装置１によれば、前記本体部１２には前記腕部１３を非作動位置ロに保持する保持手段４０が設けられているため、室外から障子３あ、３ｂを閉め切る等の本体部１２不要時に腕部１３を非作動位置ロに保持しておくことができ、操作性の向上が図れる。
【００３４】
以上、本発明の実施の形態を図面により詳述してきたが、本発明は前記実施の形態に限定されるものではなく、本発明の要旨を逸脱しない範囲での種々の設計変更等が可能である。例えば、開口部装置としては、内外４枚の障子を有する４枚建てのサッシとして構成されていても良く。この場合、対向する外障子間すなわち合掌框間に指挟みを防止する規制部材が介在される。開口部装置としては、窓サッシであっても良く、また、引違いに限定されず、片引き等であっても良い。台座ないし本体部は、框の上框や下框に設けられていても良い。台座ないし本体部の取付材としては、両面接着テープ以外に、例えば接着剤、ネジ等であっても良い。
【００３５】
【発明の効果】
以上要するに本発明によれば、次のような効果を奏することができる。
【００３６】
（１）請求項１の発明によれば、障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記規制部材が腕部に首振り自在に設けられているため、施工狂い等により発生する規制部材の斜め当りの力を逃して腕部や本体部の損傷を防止することができ、耐久性の向上が図れる。
【００３７】
（２）請求項２の発明によれば、障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられているため、室外から障子を閉め切る等の本体部不要時に本体部を簡単に取外すことができ、操作性の向上が図れると共に、台座の突出高さを低くすれば、障子の全開ないしやり越しが可能となり、網戸のかかりの確保やクレセント受けの調整が可能となる。
【００３８】
（３）請求項３の発明によれば、障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられ、該台座及び本体部は互いにスライド自在に係合し、そのスライド方向略中央部に係止部を有しているため、台座を上下逆にすることで左側用と右側用に兼用することできると共に、台座を小さくすることができ、コストの低減及び意匠性の向上が図れる。
【００３９】
（４）請求項４の発明によれば、障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部には前記腕部を非作動位置に保持する保持手段が設けられているため、室外から障子を閉め切る等の本体部不要時に腕部を非作動位置に保持しておくことができ、操作性の向上が図れる。
【００４０】
（５）請求項５の発明によれば、枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記規制部材が腕部に首振り自在に設けられているため、施工狂い等により発生する規制部材の斜め当りの力を逃して腕部や本体部の損傷を防止することができ、耐久性の向上が図れる。
【００４１】
（６）請求項６の発明によれば、枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられているため、室外から障子を閉め切る等の本体部不要時に本体部を簡単に取外すことができ、操作性の向上が図れると共に、台座の突出高さを低くすれば、障子の全開ないしやり越しが可能となり、網戸のかかりの確保やクレセント受けの調整が可能となる。
【００４２】
（７）請求項７の発明によれば、枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部が前記框に設けられた台座に着脱自在に取付けられ、該台座及び本体部は互いにスライド自在に係合し、そのスライド方向略中央部に係止部を有しているため、台座を上下逆にして左側用と右側用に兼用することできると共に、台座を小さくすることができ、コストの低減及び意匠性の向上が図れる。
【００４３】
（８）請求項８の発明によれば、枠と、該枠内にスライド開閉自在に設けられた障子と、該障子を閉鎖する際に障子と枠の間または対向する障子間に介在されて指挟みを防止する規制部材と、前記障子の框に取付けられる本体部と、該本体部に回動自在に設けられ前記規制部材を作動位置または非作動位置に回動自在に支持する腕部と、該腕部を作動位置側へ付勢する付勢手段とを備え、前記本体部には前記腕部を非作動位置に保持する保持手段が設けられているため、室外から障子を閉め切る等の本体部不要時に本体部を非作動位置に保持しておくことができ、操作性の向上が図れる。
【図面の簡単な説明】
【図１】本発明の実施の形態を示す開口部装置の室内側正面図である。
【図２】図１のＡ−Ａ線拡大断面図である。
【図３】指挟み防止装置の腕部と規制部の分解斜視図である。
【図４】指挟み防止装置の本体部を台座部から取外した状態の開口部装置を示す図で、（ａ）は障子全閉状態の概略的横断面図、（ｂ）は外障子を全開にした状態の概略的横断面図である。
【図５】左右兼用の台座を示す図で、（ａ）は外障子の戸先框に取付けた状態の斜視図、（ｂ）は内障子の戸先框に取付けた状態の斜視図である。
【図６】図５の台座に取付けられる本体部の斜視図である。
【図７】指挟み防止装置の他の実施の形態を示す断面図である。
【図８】同指挟み防止装置の腕部と規制部の分解斜視図である。
【図９】指挟み防止装置の他の実施の形態を示す断面図である。
【符号の説明】
１　開口部装置
２　枠
３ａ，３ｂ　障子
４　框
１０　指挟み防止装置
１１　規制部材
１２　本体部
１３　腕部
１７　弾性支持材
２０　台座
２１，２２　係止部
３７　弾性支持材
【図１】
2004124462.tif 000003
【図２】
2004124462.tif 000004
【図３】
2004124462.tif 000005
【図４】
2004124462.tif 000006
【図５】
2004124462.tif 000007
【図６】
2004124462.tif 000008
【図７】
2004124462.tif 000009
【図８】
2004124462.tif 000010
【図９】
2004124462.tif 000011